(57)【要約】【課題】直管状の筒体を口内や、体内に挿入して吸引した時の詰まりや、皮膚、肉片、臓器等の吸引を防止して容易に取り扱うことができ、簡単に洗浄液や、生命維持液等の注入用として切り替えることができる安価な医療用吸引注入器具を提供する。【解決手段】断面内部を空洞とする直管状の筒体１１を有し、筒体１１を体外から口内や体内に挿入して口内や体内に発生した不必要物質を吸引、又は口内や体内に必要物質を注入するための医療用吸引注入器具１０において、筒体１１先端部の側面に１又は筒体の先端から縦列に複数個の貫通孔１３が設けられた１又は複数列を有すると共に、筒体１１の先端の外周囲に筒体１１の肉厚より厚くなる曲面状の盛り上がり部１５を有し、しかも盛り上がり部１５の最先端部を頂部として１又は複数の曲面状の凹部１６を有する。【選択図】図１
0003109974.tif 000002
【実用新案登録請求の範囲】
【請求項１】
断面内部を空洞とする直管状の筒体を有し、該筒体を体外から口内や体内に挿入して該口内や体内に発生した不必要物質を吸引、又は該口内や体内に必要物質を注入するための医療用吸引注入器具において、
前記筒体先端部の側面に１又は前記筒体の先端から縦列に複数個の貫通孔が設けられた１又は複数列を有すると共に、前記筒体の先端の外周囲に該筒体の肉厚より厚くなる曲面状の盛り上がり部を有し、しかも該盛り上がり部の最先端部を頂部として１又は複数の曲面状の凹部を有することを特徴とする医療用吸引注入器具。
【考案の詳細な説明】
【技術分野】
【０００１】
本考案は、医療を行う時に用いられる吸引、注入器具に関し、より詳細には、例えば外科や、歯科や、集中治療等に使用され、血栓、痰、鼻汁、血液等の体液や、手術等で発生した骨粉、組織片、洗浄液等の口内や、体内の不必要物質をそこから吸引したり、洗浄液、生命維持液等の必要物質を口内や、体内に注入するための医療用吸引注入器具に関する。
【背景技術】
【０００２】
近年の医療の分野における吸引注入器具は、口内や、体内の高い清浄性及び滅菌状態を維持することが重要になっている中では、口内治療や、体内手術等において必要不可欠なものとなっている。このような環境の中にあって、従来の医療用吸引器具は、口内や、体内で発生した不用物質である除去必要物質や、口内や、体内の高い清浄性及び滅菌状態を維持するために送り込まれた食塩水や、リンゲル液等の洗浄液を素早く吸引するために用いられている。また、従来の医療用吸引注入器具は、口内や、体内で発生した不用物質である除去必要物質や、口内や、体内の高い清浄性及び滅菌状態を維持するために送り込まれる食塩水や、リンゲル液等の洗浄液を吸引したり、洗浄液や、生命維持するための生命維持液等を注入したりするのに吸引と注入の切替ができる切替弁を接続して行うために用いられている。
【０００３】
図３に示すように、従来の医療用吸引注入器具５０は、断面内部を円形貫通孔の空洞とするステンレス、チタン、アルミニウム等の金属や、プラスチック等からなる直管状の筒体５１の先端面５２を平面形状や、先端面５２の外周囲の角部を丸くしたＲ面形状としている。そして、医療用吸引注入器具５０は、この直管状の筒体５１の先端面５２を口内や、体内の必要箇所に当接して吸引や、注入ができるようにしている。また、図示しないが、従来の医療用吸引注入器具５０は、一本の筒体５１を用いて、吸入と、注入のそれぞれを行うことができるように、筒体５１の根元の接続部５３に吸引と注入の切替ができる切替弁を接続することができるようになっている。この切替弁に接続された一方の側の吸引用のチューブの先には、真空ポンプが接続されており、この真空ポンプの負圧によって除去必要物質が吸引されるようになっている。また、この切替弁に接続された他方の側の吸引用のチューブの先には、洗浄液や、生命維持液等が収納された容器が高いところにぶら下げられており、高低さを利用するヘッド力で注入されるようになっている。
【０００４】
従来の医療用吸引器具には、吸引時の人体に対する外傷の発生や、液状物質吸引時の器具から発生する不快なノイズを防止するために、負圧で作用する弁を設けた単数、又は複数個の開口部を筒状の筒体測部に設けるものが提案されている（例えば、特許文献１参照）。
また、従来の医療用簡易吸引器には、吸引ホースの先端にカテーテルを取り付けて、このカテーテルを口腔、及び上気道に挿入して分泌物を吸引するために、一般家庭でも簡便に使用できるように、吸引ホースに取り付けられた吸引物収納容器を介して家庭用掃除機の吸込口に接続し、この家庭用掃除機を減圧器に利用して分泌物が吸引物収納容器内に送り込まれることが提案されている（例えば、特許文献２参照）。
更に、従来の医療用吸引器には、吸引カテーテルや吸引チューブの詰まりに対する監視を不要とするために、吸引動作中に詰まりを検知する検知手段を備えたものが提案されている（例えば、特許文献３参照）。
【０００５】
【特許文献１】特開平５−９５９９７号公報
【特許文献２】特開平５−２１２１０５号公報
【特許文献３】特開２００４−４９７０６号公報
【考案の開示】
【考案が解決しようとする課題】
【０００６】
しかしながら、前述したような従来の医療用吸引注入器具は、未だ解決すべき次のような問題がある。
（１）従来の医療用吸引注入器具は、内部を円形貫通孔とする筒状の筒体の先端面を平面形状や、先端面の外周囲の角部を丸くしたＲ面形状としているので、吸引時に口内や、体内の皮膚、肉片、臓器等に接触して空気の流れを遮断し、真空ポンプの負圧が皮膚、肉片、臓器等に直接作用して貫通孔に強く吸込まれることで、皮膚、肉片、臓器等を傷付けることが発生している。特に、筒状の筒体の先端面の内壁側の角部が直角である場合には、皮膚、肉片、臓器等を傷付け易くなっている。また、筒状の筒体の先端の開口部が皮膚、肉片、臓器等で塞がれてしまう場合には、吸引が停止することとなり、医療用吸引注入器具の役割を発揮できなくなってしまっている。
（２）従来の負圧で作用する弁を設けた単数、又は複数個の開口部を筒状の筒体測部に設けた医療用吸引器具は、複雑な構造となるので、弁部の清浄性及び滅菌状態を維持することが難しく、医療用としては不向きである。また、この医療用吸引器具は、負圧のみで作用する弁で構成されているので、洗浄液や、生命維持液等の注入用として用いることができない。更に、この医療用吸引器具は、複雑な弁を設けることで、高価なものとなっている。
（３）従来の吸引カテーテルや吸引チューブを先端に取り付ける医療用吸引器具は、皮膚、肉片、臓器等の吸引や、詰まりの防止が施されていないので、皮膚、肉片、臓器等に傷を付けやすくなっている。また、例え、医療用吸引器具に詰まりの検知手段を設けたとしても、詰まった場合の処置を施さなければならず、その間の人体への影響が大きい。また、この医療用吸引器具は、吸引のみが行えるものであるので、洗浄液や、生命維持液等の注入用として用いることができない。更に、この医療用吸引器具は、複雑な弁を設けることで、高価なものとなっている。
本考案は、かかる事情に鑑みてなされたものであって、直管状の筒体を口内や、体内に挿入して吸引した時の詰まりや、皮膚、肉片、臓器等の吸引を防止して容易に取り扱うことができ、簡単に洗浄液や、生命維持液等の注入用として切り替えることができる安価な医療用吸引注入器具を提供することを目的とする。
【課題を解決するための手段】
【０００７】
前記目的に沿う本考案に係る医療用吸引注入器具は、断面内部を空洞とする直管状の筒体を有し、筒体を体外から口内や体内に挿入して口内や体内に発生した不必要物質を吸引、又は口内や体内に必要物質を注入するための医療用吸引注入器具において、筒体先端部の側面に１又は筒体の先端から縦列に複数個の貫通孔が設けられた１又は複数列を有すると共に、筒体の先端の外周囲に筒体の肉厚より厚くなる曲面状の盛り上がり部を有し、しかも盛り上がり部の最先端部を頂部として１又は複数の曲面状の凹部を有する。
【考案の効果】
【０００８】
請求項１記載の医療用吸引注入器具は、筒体先端部の側面に１又は筒体の先端から縦列に複数個の貫通孔が設けられた１又は複数列を有すると共に、筒体の先端の外周囲に筒体の肉厚より厚くなる曲面状の盛り上がり部を有し、しかも盛り上がり部の最先端部を頂部として１又は複数の曲面状の凹部を有するので、筒体側面の貫通孔で筒体先端の開口孔の負圧を減圧させながら、開口孔及び貫通孔から容易に不必要物質の吸引、又は必要物質の注入を開口孔及び貫通孔から満遍なく行うことができる。また、筒体先端の肉厚より厚い曲面状の盛り上がり部によって、皮膚、肉片、臓器等に接触したり、皮膚、肉片、臓器等を筒体の中に吸込んでもこれらの傷付けを防止できる。また、筒体の先端部の凹部によって、皮膚、肉片、臓器等に当接した時に筒体の開口孔の塞がりを防止でき、不必要物質の吸引、又は必要物質の注入を効率的に行うことができる。更に、筒体には弁を設ける等の特段の加工を必要としないので、清浄性及び滅菌状態のよい安価な医療用吸引注入器具が提供できる。
【考案を実施するための最良の形態】
【０００９】
続いて、添付した図面を参照しつつ、本考案を具体化した実施の形態について説明し、本考案の理解に供する。
ここに、図１は本考案の一実施の形態に係る医療用吸引注入器具の説明図、図２（Ａ）、（Ｂ）はそれぞれ同医療用吸引注入器具のＡ部拡大正面図、側面図である。
【００１０】
図１、図２（Ａ）、（Ｂ）に示すように、本考案の一実施の形態に係る医療用吸引注入器具１０は、断面内部を空洞とするステンレス、チタン、アルミニウム等の金属や、プラスチック等からなる直管状の筒体１１と、この筒体１１が差込まれて連接される接続部１２からなっている。この医療用吸引注入器具１０は、例えば、外科や、歯科や、集中治療等に使用され、人体外から口内や、体内に挿入して血栓、痰、鼻汁、血液等の体液や、手術等で発生した骨粉、組織片、洗浄液等の口内や、体内に発生する除去しなければならない不必要物質をそこから吸引したり、又は洗浄液、生命維持液等の体内に送り込まなければならない必要物質を口内や、体内に注入するための器具として用いられている。この医療用吸引注入器具１０は、図示しないが、一本の筒体１１を用いて、吸入と、注入のそれぞれを行うことができるように、筒体１１の根元の接続部１２に吸引と、注入の切替ができる切替弁を接続することができるようになっている。
【００１１】
この医療用吸引注入器具１０は、直管状の筒体１１の先端部の側面に１、又は筒体１１の先端から縦列に複数個の貫通孔１３が設けられている。そして、この貫通孔１３の縦列は、筒体１１先端部側面の外周囲に１、又は複数列が設けられている。医療用吸引注入器具１０は、この貫通孔１３によって、直管状の筒体１１の先端の開口孔１４からの吸引力を減圧することができるので、開口孔１４に皮膚、肉片、臓器等の詰まりを防止しながら貫通孔１３からも口内や、体内に発生する除去しなければならない不必要物質を除去することができる。また、この医療用吸引注入器具１０の筒体１１には、先端の外周囲に筒体１１の肉厚より厚くなる角部を丸くした曲面形状の盛り上がり部１５を有している。医療用吸引注入器具１０は、この角部を丸くした曲面形状の盛り上がり部１５によって、皮膚、肉片、臓器等に接触してしても皮膚、肉片、臓器等を傷付けることを防止することができる。更に、この医療用吸引注入器具１０の筒体１１には、盛り上がり部１５の最先端部を頂部として１、又は複数の角部を丸くした曲面状の凹部１６を有している。医療用吸引注入器具１０は、この角部を丸くした曲面状の凹部１６によって、皮膚、肉片、臓器等に接触してしても皮膚、肉片、臓器等を傷付けることを防止することができると共に、開口孔１４の詰まりを防止することができる。
【００１２】
なお、医療用吸引注入器具１０は、筒体１１の先端部の側面に筒体１１の先端から縦列に複数個の貫通孔１３が設けられる場合には、それぞれの貫通孔１３が略等ピッチ間隔の距離を保って設けられるのがよい。また、１、又は複数個の貫通孔１３が複数列に設けられる場合には、筒体１１の外周に沿って略等ピッチ間隔の距離を保って設けられるのがよい。更に、医療用吸引注入器具１０は、筒体１１の盛り上がり部１５の最先端部を頂部として複数の曲面状の凹部１６が設けられる場合には、それぞれの凹部１６が外周に沿って略等ピッチ間隔の距離を保って設けられるのがよい。
【００１３】
医療用吸引注入器具１０は、一つの医療用吸引注入器具１０で吸入と、注入を行うことができるように、筒体１１の根元側が差込むようにして連接されている接続部１２の開口孔１４ａに吸引と注入の切替ができる切替弁（図示せず）を接続することができるようになっている。そして、この切替弁に接続された一方の側の吸引用のチューブの先には、真空ポンプが接続されており、この真空ポンプの負圧によって除去必要物質が吸引されるようになっている。また、この切替弁に接続された他方の側の注入用のチューブの先には、洗浄液や、生命維持液等が収納された容器が高いところにぶら下げられており、高低さを利用するヘッド力で注入されるようになっている。更には、医療用吸引注入器具１０の接続部１２には、医療用吸引注入器具１０を手で持つと同時に切替弁の操作を指先で行いながら吸引、注入の操作を行い易くするための滑り止め部１７や、ストッパー部１８が設けられている。
【実施例】
【００１４】
医療用吸引注入器具は、さまざまな形態のものがあるが、例えば、外科手術等で用いられる医療用吸引注入器具には、筒体が先端側の開口孔径を４ｍｍで、筒体の外径を４．５ｍｍ、長さを３２０ｍｍとし、筒体を差込むようにして接合して連接する接続部が長さを４０ｍｍで、開口径は内部で数段に分けて大きくなり最も外側の開口孔径を１３ｍｍで、その部分の外径を１５ｍｍとするものがある。そして、この筒体は、肉厚が０．２５ｍｍの直管状のステンレスからなり、盛り上がり部の外径が５ｍｍ、盛り上がり部の長さが１ｍｍで、筒体の先端から縦列に並ぶ４個の貫通孔のそれぞれの直径が１ｍｍ、ピッチ間隔が２．５ｍｍで、３列が筒体先端部の外周に沿って略等ピッチ間隔に作製されている。また、筒体には、盛り上がり部の最先端から筒体の肉厚を削り取るようにして、深さが０．５ｍｍ、長さが１ｍｍの角部を曲面状とした凹部が設けられている。一方、接続部は、アルミニウムからなり、外径及び内径を所望の形状に切削加工で形成している。なお、医療用吸引注入器具は、上記の筒体、及び接続部に限定されるものではなく、材質、大きさ、形状等を自由に変えることがでる。
【産業上の利用可能性】
【００１５】
本考案の医療用吸引注入器具は、例えば、外科や、歯科や、集中治療等において、人体外から口内や、体内に挿入して血栓、痰、鼻汁、血液等の体液や、手術等で発生した骨粉、組織片、洗浄液等の口内や、体内に発生する除去しなければならない不必要物質をそこから吸引したり、又は洗浄液、生命維持液等の体内に送り込まなければならない必要物質を口内や、体内に注入するための器具として用いることができる。
【図面の簡単な説明】
【００１６】
【図１】本考案の一実施の形態に係る医療用吸引注入器具の説明図である。
【図２】（Ａ）、（Ｂ）はそれぞれ同医療用吸引注入器具のＡ部拡大正面図、側面図である。
【図３】従来の医療用吸引注入器具の説明図である。
【符号の説明】
【００１７】
１０：医療用吸引注入器具、１１：筒体、１２：接続部、１３：貫通孔、１４、１４ａ：開口孔、１５：盛り上がり部、１６：凹部、１７：滑り止め部、１８：ストッパー部
【図１】
0003109974.tif 000003
【図２】
0003109974.tif 000004
【図３】
0003109974.tif 000005